(57)【要約】【課題】鋼管柱の地際部分を簡単かつ経済的に補強する鋼管柱用の補強体および該補強体を用いた鋼管柱の補強方法を提供する。【解決手段】複数の均等配置治具で鋼管柱の周方向に等角度で均等に配設された複数の補強用棒状部材の間にモルタルを隙間なく充填し全体を包み込み一体化してプレキャストとして構成される補強体を鋼管柱の地際部分に挿入して鋼管柱を補強している。【選択図】図１
2010047986.tif 000002
【特許請求の範囲】
【請求項１】
下部の所定長部分が地中に埋設されて地上に立設された中空の鋼管柱の地際を補強すべく鋼管柱内の地際に配設される鋼管柱用の補強体であって、
鋼管柱の長手方向に沿って鋼管柱の地際を挟んで下方に所定長、上方に所定長配設される複数の補強用棒状部材であって、地際から下方に所定長離れた位置において鋼管柱の直径を貫通する根かせ棒に下端部が当る補強用棒状部材は根かせ棒を避けるように短く形成されている複数の補強用棒状部材と、
この複数の補強用棒状部材を鋼管柱の周方向に等角度で均等に配設するように複数の補強用棒状部材が挿通されて保持される複数の保持部を有する複数の均等配置治具と、
この複数の均等配置治具で鋼管柱の周方向に等角度で均等に配設された複数の補強用棒状部材の間に隙間なく充填され全体を包み込み一体化してプレキャストとして固められたモルタルであって、根かせ棒に当らないように下端部が短く形成された補強用棒状部材の下方の根かせ棒が通過する部分に対するモルタルの充填を避けて根かせ棒通過深溝を形成するように一体的に固められたモルタルと、
前記複数の補強用棒状部材のうちの対向する少なくとも２本の上端に突出して一体的に取り付けられた少なくとも２本の引掛け部材であって、前記モルタルを固めたプレキャストの上方に突出している引掛け部材と
を有することを特徴とする鋼管柱用の補強体。
【請求項２】
前記複数の補強用棒状部材は、複数のアラミドロッドと複数のＰＣ鋼線とを有し、この複数のアラミドロッドと複数のＰＣ鋼線は、鋼管柱の周方向に交互に配設されることを特徴とする請求項１記載の鋼管柱用の補強体。
【請求項３】
前記複数の均等配置治具で鋼管柱の周方向に等角度で均等に配設された複数の補強用棒状部材の外周は針金で複数箇所が縛り付けられて固定されていることを特徴とする請求項１または２記載の鋼管柱用の補強体。
【請求項４】
モルタルを固めて形成されるプレキャストの外周は、複数箇所でアラミド繊維シートおよびスポンジメッシュシートを巻かれてから、シリコンを塗布されていることを特徴とする請求項１乃至３のいずれかに記載の鋼管柱用の補強体。
【請求項５】
請求項１乃至３のいずれかに記載の鋼管柱用の補強体を用いた鋼管柱の補強方法であって、
鋼管柱の上端の頂部開口の末口蓋を除去し、地中において鋼管柱の直径を貫通する根かせ棒より所定長離れた下方の位置まで頂部開口から鋼管柱内に砕石を投入する砕石投入工程と、
前記引掛け部材に懸吊用ロープを取り付けて補強体を吊るしながら補強体を鋼管柱の上端の頂部開口から鋼管柱内に挿入する補強体挿入工程と、
この吊るしながら鋼管柱内に挿入された補強体を徐々に降下させ、鋼管柱を貫通する根かせ棒を前記根かせ棒通過深溝に嵌合させるように位置調整しながら根かせ棒通過深溝に根かせ棒を嵌合させ、かつ補強体の下端部が前記砕石に当接するまで補強体を下降させる補強体下降工程と、
補強体の下端部が砕石に当接して安定した後、前記懸吊用ロープを鋼管柱の頂部開口から取り出し、該頂部開口に末口蓋を取り付けて固定する懸吊用ロープ取出し工程と
を有することを特徴とする補強体を用いた鋼管柱の補強方法。
【請求項６】
前記補強体は、外周が複数箇所でアラミド繊維シートおよびスポンジメッシュシートを巻かれてから、シリコンを塗布されていることを特徴とする請求項５に記載の補強体を用いた鋼管柱の補強方法。
【発明の詳細な説明】
【技術分野】
【０００１】
本発明は、下部の所定長部分が地中に埋設されて地上に立設されている例えば交通信号灯用の信号柱などのような中空の鋼管柱の地際を補強すべく鋼管柱内の地際に配設される鋼管柱用の補強体および該補強体を用いた鋼管柱の補強方法に関する。
【背景技術】
【０００２】
道路の側部や交差点の角などに立設されている交通信号灯用の信号柱は、例えば図１７に示すように、中空で太さの等しい鋼管柱９１で構成され、その下部の所定長部分が地中９３に埋設されて固定されるとともに、この地中９３に埋設された部分において根かせ棒９５が鋼管柱９１の直径を十文字に貫通し、これにより鋼管柱９１が倒れ難くしている。なお、鋼管柱９１の上端の頂部開口は、末口蓋９１aで塞がれている。
【０００３】
また、鋼管柱の簡易な補強方法も既に知られている（特許文献１）。
【特許文献１】特開２００６−２８３３９２号
【発明の開示】
【発明が解決しようとする課題】
【０００４】
上述したように道路の側部や交差点の角などに立設される信号柱などの鋼管柱９１は、中空の鋼管で構成されて、一定以上の強度を有するが、その地際部分、すなわち地中に埋設された部分と地上に露出した部分との境の地際の部分は、例えば犬などがマーキングのために好んで排尿することが多いため、他の部分に比較して常に湿潤した環境となり、そのため腐食しやすく、この腐食した地際部分から倒壊する可能性は否めない。
【０００５】
本発明は、上記に鑑みてなされたもので、その目的とするところは、鋼管柱の地際部分を簡単かつ経済的に補強する鋼管柱用の補強体および該補強体を用いた鋼管柱の補強方法を提供することにある。
【課題を解決するための手段】
【０００６】
上記課題を達成するため、請求項１記載の鋼管柱用の補強体は、下部の所定長部分が地中に埋設されて地上に立設された中空の鋼管柱の地際を補強すべく鋼管柱内の地際に配設される鋼管柱用の補強体であって、鋼管柱の長手方向に沿って鋼管柱の地際を挟んで下方に所定長、上方に所定長配設される複数の補強用棒状部材であって、地際から下方に所定長離れた位置において鋼管柱の直径を貫通する根かせ棒に下端部が当る補強用棒状部材は根かせ棒を避けるように短く形成されている複数の補強用棒状部材と、この複数の補強用棒状部材を鋼管柱の周方向に等角度で均等に配設するように複数の補強用棒状部材が挿通されて保持される複数の保持部を有する複数の均等配置治具と、この複数の均等配置治具で鋼管柱の周方向に等角度で均等に配設された複数の補強用棒状部材の間に隙間なく充填され全体を包み込み一体化してプレキャストとして固められたモルタルであって、根かせ棒に当らないように下端部が短く形成された補強用棒状部材の下方の根かせ棒が通過する部分に対するモルタルの充填を避けて根かせ棒通過深溝を形成するように一体的に固められたモルタルと、前記複数の補強用棒状部材のうちの対向する少なくとも２本の上端に突出して一体的に取り付けられた少なくとも２本の引掛け部材であって、前記モルタルを固めたプレキャストの上方に突出している引掛け部材とを有することを要旨とする。
【０００７】
請求項１記載の鋼管柱用の補強体では、鋼管柱用の補強体は複数の均等配置治具で鋼管柱の周方向に等角度で均等に配設された複数の補強用棒状部材の間にモルタルを隙間なく充填し全体を包み込み一体化してプレキャストとして構成されているので、この補強体を鋼管柱内の地際に挿入することにより鋼管柱の地際は強固に補強され、鋼管柱は地際部分から極めて倒壊しにくいとともに、また鋼管部分が腐食したとしても複数の補強用棒状部材からなる強固な内部構造とモルタルでプレキャストとして構成される補強体により鋼管柱は容易には倒れ難く、折れ難くなっている。
【０００８】
請求項２記載の鋼管柱用の補強体は、前記複数の補強用棒状部材が、複数のアラミドロッドと複数のＰＣ鋼線とを有し、この複数のアラミドロッドと複数のＰＣ鋼線は、鋼管柱の周方向に交互に配設されることを要旨とする。
【０００９】
請求項２記載の鋼管柱用の補強体では、複数の補強用棒状部材が複数のアラミドロッドと複数のＰＣ鋼線とを鋼管柱の周方向に交互に配設して構成されるため、補強用棒状部材は非常に折れ難くなり、この折れ難い補強用棒状部材で構成される補強体は極めて強固なものとなり、従って該補強体を鋼管柱内の地際に挿入することにより、鋼管柱は地際部分から極めて倒壊しにくいものとなる。
【００１０】
請求項３記載の鋼管柱用の補強体は、前記複数の均等配置治具で鋼管柱の周方向に等角度で均等に配設された複数の補強用棒状部材の外周が針金で複数箇所が縛り付けられて固定されていることを要旨とする。
【００１１】
請求項３記載の鋼管柱用の補強体では、複数の補強用棒状部材の外周が針金で複数箇所が縛り付けられて固定されているため、補強体は更に強固に構成されている。
【００１２】
請求項４記載の鋼管柱用の補強体は、モルタルを固めて形成されるプレキャストの外周が、複数箇所でアラミド繊維シートおよびスポンジメッシュシートを巻かれてから、シリコンを塗布されていることを要旨とする。
【００１３】
請求項４記載の鋼管柱用の補強体では、プレキャストの外周が複数箇所でアラミド繊維シートおよびスポンジメッシュシートを巻かれてから、シリコンを塗布されているため、鋼管柱の内周面に対する補強体の密着性や緩衝性を向上させることができるとともに、また補強体自体を保護することができるようになっている。
【００１４】
請求項５記載の補強体の補強方法は、請求項１乃至３のいずれかに記載の鋼管柱用の補強体を用いた鋼管柱の補強方法であって、鋼管柱の上端の頂部開口の末口蓋を除去し、地中において鋼管柱の直径を貫通する根かせ棒より所定長離れた下方の位置まで頂部開口から鋼管柱内に砕石を投入する砕石投入工程と、前記引掛け部材に懸吊用ロープを取り付けて補強体を吊るしながら補強体を鋼管柱の上端の頂部開口から鋼管柱内に挿入する補強体挿入工程と、この吊るしながら鋼管柱内に挿入された補強体を徐々に降下させ、鋼管柱を貫通する根かせ棒を前記根かせ棒通過深溝に嵌合させるように位置調整しながら根かせ棒通過深溝に根かせ棒を嵌合させ、かつ補強体の下端部が前記砕石に当接するまで補強体を下降させる補強体下降工程と、補強体の下端部が砕石に当接して安定した後、前記懸吊用ロープを鋼管柱の頂部開口から取り出し、該頂部開口に末口蓋を取り付けて固定する懸吊用ロープ取出し工程とを有することを要旨とする。
【００１５】
請求項５記載の補強体の補強方法では、鋼管柱内に砕石を投入し、補強体を吊るしながら鋼管柱内に挿入し、補強体の下端部が砕石に当接して安定させることで補強体を鋼管柱の地際部分に挿入することにより、鋼管柱の地際を補強しているので、鋼管柱内にプレキャストの補強体を挿入するだけという簡単かつ経済的な方法で鋼管柱を補強できるとともに、この補強体により鋼管柱は地際部分から倒壊しにくくなる。
【００１６】
請求項６記載の鋼管柱の補強方法は、前記補強体の外周が複数箇所でアラミド繊維シートおよびスポンジメッシュシートを巻かれてから、シリコンを塗布されていることを要旨とする。
【００１７】
請求項６記載の鋼管柱の補強方法では、補強体を構成するプレキャストの外周が複数箇所でアラミド繊維シートおよびスポンジメッシュシートを巻かれてから、シリコンを塗布されているため、鋼管柱の内周面に対する補強体の密着性や緩衝性を向上させることができるとともに、また補強体自体を保護することができるようになっている。
【発明の効果】
【００１８】
本発明の鋼管柱用の補強体によれば、鋼管柱用の補強体は複数の均等配置治具で鋼管柱の周方向に等角度で均等に配設された複数の補強用棒状部材の間にモルタルを隙間なく充填し全体を包み込み一体化してプレキャストとして構成されているので、この補強体を鋼管柱内の地際に挿入することにより鋼管柱の地際は強固に補強され、鋼管柱は地際部分から極めて倒壊しにくいとともに、また鋼管部分が腐食したとしても複数の補強用棒状部材からなる強固な内部構造とモルタルでプレキャストとして構成される補強体により鋼管柱は容易には倒れ難く、折れ難くなっている。
【００１９】
また、本発明の鋼管柱の補強方法によれば、鋼管柱内に砕石を投入し、補強体を吊るしながら鋼管柱内に挿入し、補強体の下端部が砕石に当接して安定させることで補強体を鋼管柱の地際部分に挿入し、鋼管柱の地際を補強しているので、鋼管柱内にプレキャストの補強体を挿入するだけという簡単かつ経済的な方法で鋼管柱を補強できるとともに、この補強体により鋼管柱は地際部分から倒壊しにくくなる。
【発明を実施するための最良の形態】
【００２０】
以下、図面を用いて、本発明を実施するための最良の形態(以下、実施形態と称する)を説明する。
【００２１】
図１は、本発明の一実施例に係わる鋼管柱用の補強体を用いて補強された鋼管柱９１の内部構造を示す図である。同図において、本実施形態の補強体１は、鋼管柱９１内に挿入されて、その地際部分に設けられ、鋼管柱９１の地際部分を補強している。
【００２２】
この補強体１は、詳しくは、図２、３に示すように、モルタルで固められた円筒体のプレキャストとして構成されている。補強体１の下端部は、図２（ｂ）、（ｃ）、３（ｂ）、（ｃ）の斜視図、底面図に示すように、図１７で説明した根かせ棒９５が通過し得るように十文字に深く切り欠いて形成され、根かせ棒通過深溝１aを構成している。
【００２３】
また、補強体１の上端面には、図２(a)、（ｂ）、３（a）、（ｂ）の上面図、斜視図に示すように、２つの引掛け部材３が取り付けられ、この引掛け部材３に例えば懸吊用ロープを取り付けて吊り上げることにより補強体１を吊り上げることができるようになっている。なお、このような補強体１の吊り上げは、補強体１を鋼管柱９１内にその頂部開口９１ｂから挿入する場合に行われるものである。
【００２４】
補強体１は、そのプレキャストの外周に複数箇所（本実施形態では３箇所）で帯状部材５が巻回され、これにより鋼管柱９１の内周面に対する補強体１の密着性や緩衝性を向上させるとともに、また補強体１を保護するようになっている。この帯状部材５は、詳しくは、アラミド繊維シートおよびスポンジメッシュシートを補強体１の外周に巻回してから、シリコンを塗布して構成されている。
【００２５】
図１に示すように、鋼管柱９１の底には、砕石９７が敷設され、この砕石９７の上に補強体１が設けられている。この砕石９７の上に設けられた補強体１は、地際を挟んで下方に約３分の２、上方に約３分の１が配設され、この下方の約３分の２が地中９３内に埋設されている。また、この地中９３に埋設された約３分の２のほぼ真中あたりに根かせ棒９５が鋼管柱９１を貫通して設けられるが、この根かせ棒９５は、補強体１の根かせ棒通過深溝１a内に嵌合している。
【００２６】
このように構成される本実施形態の鋼管柱用の補強体１は、モルタルを固めてプレキャストとして構成されるが、このプレキャストの内部構造は後述するように複数のアラミドロッドとＰＣ鋼線からなる複数の補強用棒状部材を鋼管柱９１の周方向に等角度で均等に配設して構成され強固な構造を持って構成されるが、このように強固な構造を持って構成される補強体１を地際部分に挿入されて補強された鋼管柱９１は、地際部分が非常に強固に補強されている。従って、上述したように、鋼管柱９１の地際部分に犬などがおしっこをかけて、この地際部分が腐食したとしても、複数の補強用棒状部材をモルタルで固めてプレキャストとして構成される補強体１により鋼管柱９１は地際部分から倒壊しにくいようになっているし、また鋼管部分が腐食したとしても強固な内部構造とモルタルでプレキャストとして構成される補強体１により鋼管柱９１は容易には倒れ難く、折れ難くなっている。
【００２７】
次に、図４および５を参照して、補強体１のプレキャストとして固められモルタルで覆われた部分の内部構造について説明する。
【００２８】
図４（a）、（ｂ）、（ｃ）、（ｄ）は、それぞれプレキャストとして固められたモルタルの外形を点線で示しながら複数の補強用棒状部材からなる補強体１の内部構造を示している上面図、正面図、図４（ｂ）の線Ａ-Ａ’に沿った断面図および図４（ｂ）の線Ｂ-Ｂ’に沿った断面図である。また、図５（a）、（ｂ）は、それぞれ図４において点線で示すモルタルを除去した補強体１の内部構造のみを示す上面図および正面図である。
【００２９】
図４、５に示すように、補強体１は、複数の補強用棒状部材として４本の太径のアラミドロッド１１および４本の小径のＰＣ鋼線２１を有し、これらのアラミドロッド１１とＰＣ鋼線２１は、鋼管柱９１の周方向に交互に配設されている。また、これらのアラミドロッド１１およびＰＣ鋼線２１からなる補強用棒状部材は、鋼管柱９１内において鋼管柱９１の周方向に等角度で均等に配設されるように複数(図では４個)の均等配置治具３１のリング状の保持部３１a、３１ｂにそれぞれ挿通されている。すなわち、太径のアラミドロッド１１は、太径のリング状の保持部３１aに挿通され、小径のＰＣ鋼線２１は、小径のリング状の保持部３１bに挿通されている。
【００３０】
複数の補強用棒状部材のうちＰＣ鋼線２１は、図４（ｂ）から分かるように、長さがアラミドロッド１１よりも短く形成され、これによりＰＣ鋼線２１の下端部が根かせ棒通過深溝１ａ内に入らないようになっている。すなわち、図２、３に示すように、プレキャストとして構成された補強体１が鋼管柱９１内に挿入された場合に、ＰＣ鋼線２１の下端部が根かせ棒９５を避けて当らないように短く形成されている。そして、プレキャストとしてモルタルで固められた場合に、このＰＣ鋼線２１の下端部が短く形成された部分へのモルタルの充填を避けて、この部分に根かせ棒通過深溝１ａを形成している。
【００３１】
４個の均等配置治具３１は、図４（ｂ）、５（ｂ）に示すように、アラミドロッド１１とＰＣ鋼線２１からなる補強用棒状部材の上端部と短く形成されたＰＣ鋼線２１の下端部との間に等間隔で配設されている。また、各均等配置治具３１のリング状の保持部３１a、３１ｂに挿通されたアラミドロッド１１およびＰＣ鋼線２１は、保持部３１a、３１bの外側の側部に形成された小さなねじ穴４１に螺合された小ねじ４３の締め付けにより小ねじ４３の先端がアラミドロッド１１、ＰＣ鋼線２１の側部に当接して強く押し付けられることにより均等配置治具３１に固定され、これによりアラミドロッド１１、ＰＣ鋼線２１からなる複数の補強用棒状部材は、複数の均等配置治具３１で一体的に連結され、複数の補強用棒状部材と複数の均等配置治具３１とは一体的に固定されている。
【００３２】
なお、均等配置治具３１の保持部３１a、３１bの外側の側部に形成された小さなねじ穴４１は、図４、５では小ねじ４３で塞がれているため、その構造が不明であるが、この小さなねじ穴４１の構造を明確に示すものとして、図１５に示す均等配置治具は、他の実施形態の鋼管柱用の補強体に使用されるものであり、保持部３１a、３１bの数は異なるものの、小さなねじ穴４１の位置や構造が明確に示されているので、この図１５を参照して説明すると、小さなねじ穴４１は、図１５に示す均等配置治具のリング状の保持部３１a、３１bの各々の外側の側部のほぼ中央に形成されていることが分かる。
【００３３】
上述したように、複数の均等配置治具３１で一体的に連結されたアラミドロッド１１とＰＣ鋼線２１からなる複数の補強用棒状部材は、更に図４（ｂ）、５（ｂ）に示されているように、針金５１により６箇所で堅固に縛り付けられ、不用意にばらばらにならないようになっている。
【００３４】
前記引掛け部材３は、複数の補強用棒状部材のうち対向する２本のＰＣ鋼線２１の上端に固定的に取り付けられている。なお、この引掛け部材３は、上述したように、例えば懸吊用ロープを取り付けて補強体１を吊り上げるためのものである。なお、引掛け部材３のＰＣ鋼線２１の上端への固定的取り付けは、種々の方法があるが、例えばリング状の引掛け部材３の下方に伸びている棒状部を長めの筒体に形成し、この筒体の側部にねじ穴を形成しておき、筒体内にＰＣ鋼線２１の上端部を挿入した後、ねじ穴にねじを螺合して締め付け、このねじの先端をＰＣ鋼線２１に当接して強く押しつけることにより固定的に取り付けることができる。
【００３５】
上述したように、アラミドロッド１１とＰＣ鋼線２１からなる複数の補強用棒状部材を複数の均等配置治具３１で一体的に連結し、更に針金５１で複数箇所を堅固に縛り付けて固定し、また引掛け部材３を２本のＰＣ鋼線２１の上端に固定的に取り付けることにより、鋼管柱用の補強体１の強固な内部構造体が完成するが、このように構成された補強体１の内部構造体に対して、図２、３に示すような外形とほぼ相似形の内部構造を有する鋳型などを用意し、この鋳型内に補強体１の内部構造体を入れ、それから更に固まっていない状態のモルタルを投入して、複数の補強用棒状部材の間に隙間なく充填し全体を包み込むように充満させてから、このモルタルを硬化させると、内部が補強用棒状部材で補強され全体がモルタルで一体化された補強体１のプレキャストが図２、３に示すように形成される。
【００３６】
このように形成された補強体１のプレキャストの外周に帯状部材５を３箇所で巻回することにより鋼管柱９１の内周面に対する補強体１の密着性や緩衝性が向上するとともに、また補強体１を保護することができ、これにより鋼管柱用の補強体１は完成する。
【００３７】
次に、図６乃至図１０を参照して、上述したように構成された鋼管柱用の補強体１を用いて鋼管柱９１を補強する方法について手順を追って説明する。
【００３８】
まず、図６に示すように、補強しようとする鋼管柱９１の上端の末口蓋９１aを取り外し、この末口蓋９１aを取り外した鋼管柱９１の頂部開口９１ｂから鋼管柱９１の内部にＣＣＤカメラ８１を吊り下ろし、このＣＣＤカメラ８１で鋼管柱９１の内部を確認する。なお、ＣＣＤカメラ８１は、電気コード８１aを介して外部に設けられた電源部８１ｂに接続されている。
【００３９】
ＣＣＤカメラ８１で鋼管柱９１の内部を確認して問題がないことを確かめると、次に図７に示すように、鋼管柱９１の頂部開口９１bから鋼管柱９１の内部にさげふり８３をひも８３aで所定の位置まで吊り下ろしてから、ひも８３aの上端を鋼管柱９１の頂部開口９１bに例えばガムテープなどで固定する。なお、さげふり８３を吊り下げる所定の位置とは、図１で説明した砕石９７の一番上の位置である。すなわち、さげふり８３の尖った先端が図１に示す砕石９７の一番上の位置になったと思われる位置までさげふり８３を吊り下げるのである。これは、次に説明する工程で砕石９７を投入するところまでの位置を設定しておくものである。
【００４０】
このようにさげふり８３を吊り下げて固定した後、次に図８に示すように、鋼管柱９１の頂部開口９１bに漏斗８５を取り付けるとともに、また図６で示したようにＣＣＤカメラ８１も頂部開口９１bから鋼管柱９１内に吊り下げる。それから、砕石を入れたバケツ８７を用意し、ＣＣＤカメラ８１で確認しながら、バケツ８７から漏斗８５を介して砕石８９を所定量、鋼管柱９１の内部に投入する。この投入された砕石は、鋼管柱９１の底に砕石９７として堆積される。鋼管柱９１の底に堆積された砕石９７は、所定量投入したことにより、さげふり８３の尖った先端が砕石９７にあたって、さげふり８３を吊り下げているひも８３aが少し緩むことにより、所定の位置まで投入されたことがわかるが、まだ砕石９７がさげふり８３にあたっていないようである場合には、更に砕石を投入し、所定の位置まで砕石９７を投入する。この結果、鋼管柱９１の底の砕石９７は、図８や図１に示すように、根かせ棒９５よりも下のところまで、具体的には例えば２０から３０ｃｍ下のところまで堆積される。
【００４１】
砕石９７が鋼管柱９１の底に堆積されると、次に図９に示すように、鋼管柱用の補強体１の引掛け部材３に懸吊用ロープ７１を通し、この懸吊用ロープ７１を介して補強体１をクレーン７３で吊り下げ、鋼管柱９１の頂部開口９１bから補強体１を鋼管柱９１の内部に挿入し、徐々に鋼管柱９１内を下降される。それから、更に補強体１を下降させ、補強体１の下端部が根かせ棒９５に当りそうな位置なると、補強体１の根かせ棒通過深溝１aに根かせ棒９５が適確に嵌合するように補強体１を位置調整する。補強体１の根かせ棒通過深溝１aに根かせ棒９５が嵌合すると、補強体１を更に下降させ、補強体１の下端部を砕石９７に当接させて安定させる。
【００４２】
補強体１の下端部が砕石９７に当接して安定した後、懸吊用ロープ７１を鋼管柱９１の頂部開口９１bから取り出し、それから図１０に示すように鋼管柱９１の頂部開口９１bに末口蓋９１aを取り付け固定する。
【００４３】
以上のようにして、鋼管柱９１は、その地際部分に補強体１を挿入されて、地際部分が非常に強固に補強される。従って、犬などのおしっこにより補強体１の地際部分が腐食したとしても、複数の補強用棒状部材をモルタルで固めてプレキャストとして構成される補強体１により鋼管柱９１は地際部分から倒壊しにくいようになっている。
【００４４】
次に、図１１から図１６を参照して、本発明の他の実施形態に係わる鋼管柱用の補強体について説明する。
【００４５】
まず、図１１に示す他の実施形態に係わる補強体２０１は、前述した図１から図１０に示した補強体１に対応するものであり、その全体的構成は図１から図１０に示した補強体１と同様にアラミドロッドとＰＣ鋼線からなる複数の補強用棒状部材を複数の均等配置治具で一体的に連結し、更に針金で複数箇所を堅固に縛り付けて固定して構成される強固な内部構造体に対してモルタルを構造体の間に隙間なく充填し全体を包み込むように充満させてから、このモルタルを硬化させることにより、内部が補強用棒状部材で補強され全体がモルタルで一体化されたプレキャストとして構成しているが、この他の実施形態の補強体２０１は、根かせ棒が通る根かせ棒通過深溝が十文字に形成されているのではなく、単に直線状に、すなわち「一」の形状に形成されている根かせ棒通過深溝２０１aを有している点が大きく異なるものである。
【００４６】
これは、この補強体２０１が適用される鋼管柱に取り付けられている根かせ棒が直線状に１本のみ設けられているものであるからである。すなわち、鋼管柱には、根かせ棒が十文字に２本設けられているものと、直線状に１本のみ設けられているものとの２種類がある。図１１から図１６に示す他の実施形態の補強体２０１は、後者の根かせ棒が直線状に１本のみ設けられている鋼管柱に適用されるものである。
【００４７】
図１１に示す補強体２０１は、モルタルでプレキャストとして形成された構造体の上端面に２個の引掛け部材３が取り付けられていることも同じである。なお、図１１に示す補強体２０１は、モルタルで構成されたプレキャストの外周面上に図２などで示すようなアラミド繊維シート、スポンジメッシュシートおよびシリコンを塗布して構成される複数の帯状部材５が図示されていないが、これは図の簡単化のために省略したものである。実際には設けられているものである。
【００４８】
図１２は、図１１に示した補強体２０１のモルタルを除去した場合の内部構造を示す斜視図である。この補強体２０１の内部構造は、図５に示した補強体１のものとほぼ同じであるが、複数の補強用棒状部材を構成するアラミドロッド１１とＰＣ鋼線２１の数が異なり、４本から６本にそれぞれ増えている。この６本にそれぞれ増えたアラミドロッド１１とＰＣ鋼線２１は、図１３(a)、（ｂ）に示す上面図および底面図からも分かるように鋼管柱の周方向に交互に配設されている。
【００４９】
また、６本にそれぞれ増えたアラミドロッド１１とＰＣ鋼線２１からなる複数の補強用棒状部材は、鋼管柱内においてその周方向に等角度で均等に配設されるように図１２では４箇所で２種類の均等配置治具２３１、２３３のリング状の保持部３１a、３１ｂ、３３a、３３ｂにそれぞれ挿通されている。太径のアラミドロッド１１は、太径のリング状の保持部３１a、３３aに挿通され、小径のＰＣ鋼線２１は、小径のリング状の保持部３１b、３３ｂに挿通されている。
【００５０】
図１４は、図１２に示した補強体２０１の内部構造の正面図であるが、この正面図から分かるように、補強体２０１の内部構造において複数の補強用棒状部材のうち根かせ棒に当る部分の補強用棒状部材であるアラミドロッド１１は、短く形成され、根かせ棒通過深溝２０１a内に入らないようになっている。
【００５１】
上述した２種類の均等配置治具２３１、２３３のうち、一方の均等配置治具２３１は、図１５に示すように、６本の太径のアラミドロッド１１と６本の小径のＰＣ鋼線２１を鋼管柱の周方向に等間隔で均等かつ交互に配設し得るように６本のアラミドロッド１１と６本のＰＣ鋼線２１がそれぞれ挿通される６個の太径のリング状の保持部３１aと６本の小径の保持部３１ｂを有する。
【００５２】
他方の均等配置治具２３３は、図１６に示すように、２本の太径のアラミドロッド１１と３本の小径のＰＣ鋼線２１を鋼管柱の周方向に等間隔で均等かつ交互に配設し得るように２本のアラミドロッド１１と３本のＰＣ鋼線２１がそれぞれ挿通される２個の太径のリング状の保持部３３aと３本の小径の保持部３３ｂを有する。
【００５３】
この均等配置治具２３３は、図１２および図１４から分かるように、根かせ棒通過深溝２０１aにあたる部分の２本のアラミドロッド１１が短く形成されるとともに、この２本の短くなったアラミドロッド１１以外の他の長いままの４本のアラミドロッド１１および短くなっていなく長いままの６本のＰＣ鋼線２１を根かせ棒通過深溝２０１aの側近部においても適確に保持するために設けられているものであるが、均等配置治具２３３を２つの短いものとして分割して構成することにより、この均等配置治具２３３により根かせ棒通過深溝２０１aが塞がれることを防止するようにしているものである。
【００５４】
なお、図１２および図１４では、図の簡単化のために、前記図４および図５に示したように複数の補強用棒状部材を堅固に縛り付けてばらばらにならないようにする針金５１が図示されていないが、実際には設けられているものである。
【００５５】
上述したように、６本のアラミドロッド１１と６本のＰＣ鋼線２１からなる複数の補強用棒状部材を複数の均等配置治具２３１、２３３で一体的に連結し、更に針金５１で複数箇所を堅固に縛り付けて固定し、また引掛け部材３を２本のＰＣ鋼線２１の上端に固定的に取り付けることにより、鋼管柱用の補強体２０１の強固な内部構造体が完成する。
【００５６】
このように完成した補強体２０１の内部構造の複数の補強用棒状部材の間にモルタルを隙間なく充填し全体を包み込むように充満させてから、このモルタルを硬化させると、内部が補強用棒状部材で補強され全体がモルタルで一体化された補強体２０１のプレキャストが図１１に示すように形成される。
【００５７】
このように形成された補強体２０１のプレキャストの外周に図２に示すような帯状部材５を複数箇所で巻回することにより鋼管柱の内周面に対する補強体の密着性や緩衝性が向上するとともに、また補強体１を保護することができ、これにより鋼管柱用の補強体１は完成する。
【００５８】
上述したような強固な内部構造を持ちモルタルで一体的にプレキャストとして構成される補強体２０１を図６から図１０で説明したように地際部分に挿入されて補強された鋼管柱は、地際部分が非常に強固に補強される。従って、鋼管柱の地際部分に犬などがおしっこをかけて腐食したとしても、複数の補強用棒状部材をモルタルで固めてプレキャストとして構成される補強体２０１により鋼管柱は地際部分から倒壊しにくいようになるし、また鋼管部分が腐食したとしても強固な内部構造とモルタルでプレキャストとして構成される補強体１により鋼管柱９１は容易には倒れ難く、折れ難くなっている。
【図面の簡単な説明】
【００５９】
【図１】本発明の一実施例に係わる鋼管柱用の補強体を用いて補強された鋼管柱の内部構造を示す図である。
【図２】（a）、（ｂ）、（ｃ）は図１に示す鋼管柱を補強している補強体の構成を示す上面図、斜視図、底面図である。
【図３】（a）、（ｂ）、（ｃ）は図１に示す鋼管柱を補強している補強体の構成を示す図２とは別の角度から見た上面図、斜視図、底面図である。
【図４】（a）、（ｂ）、（ｃ）、（ｄ）は図２、３に示した補強体の内部構造をモルタルの外形を点線で示す上面図、側面図、（ｂ）の線Ａ-Ａ’に沿った断面図および（ｂ）の線Ｂ-Ｂ’に沿った断面図である。
【図５】（a）、（ｂ）は図４に点線で示すモルタルを除去した場合の補強体の内部構造を示す上面図および側面図である。
【図６】図２〜図５に示す補強体を鋼管柱内に挿入する最初の工程においてＣＣＤカメラで鋼管柱の内部を確認する工程を示す図である。
【図７】図２〜図５に示す補強体を鋼管柱内に挿入する工程のうち鋼管柱の内部にさげふりを挿入する工程を示す図である。
【図８】図２〜図５に示す補強体を鋼管柱内に挿入する工程のうち鋼管柱の内部に砕石を投入する工程を示す図である。
【図９】図２〜図５に示す補強体を鋼管柱内に挿入する工程のうち鋼管柱の内部に補強体を挿入する工程を示す図である。
【図１０】図２〜図５に示す補強体を鋼管柱内に挿入する最終の工程において鋼管柱の頂部開口に末口蓋を取り付ける工程を示す図である。
【図１１】本発明の他の実施形態に係わる鋼管柱用の補強体を示す斜視図である。
【図１２】図１１に示す補強体の内部構造を示す斜視図である。
【図１３】図１１に示す補強体の内部構造の上面図および底面図である。
【図１４】図１１に示す補強体の内部構造の正面図である。
【図１５】図１１に示す補強体に使用されている均等配置治具の構造を示す斜視図である。
【図１６】図１１に示す補強体に使用されている別の均等配置治具の構造を示す斜視図である。
【図１７】下部が地中に埋設されて地上に立設された通常の鋼管柱の内部構造を示す断面図である。
【符号の説明】
【００６０】
１、２０１  補強体
１a、２０１a  根かせ棒通過深溝
３  引掛け部材
５  帯状部材
１１  アラミドロッド１
２１  ＰＣ鋼線
３１、２３１、２３３  均等配置治具
３１a、３１b、３３a、３３ｂ  保持部
４１  ねじ穴
４３  小ねじ
５１  針金
７１  懸吊用ロープ
８１  ＣＣＤカメラ
８３  さげふり
８５  漏斗
９１  鋼管柱
９１a  末口蓋
９１ｂ  頂部開口
９５  根かせ棒
９７  砕石
【図１】
2010047986.tif 000003
【図２】
2010047986.tif 000004
【図３】
2010047986.tif 000005
【図４】
2010047986.tif 000006
【図５】
2010047986.tif 000007
【図６】
2010047986.tif 000008
【図７】
2010047986.tif 000009
【図８】
2010047986.tif 000010
【図９】
2010047986.tif 000011
【図１０】
2010047986.tif 000012
【図１１】
2010047986.tif 000013
【図１２】
2010047986.tif 000014
【図１３】
2010047986.tif 000015
【図１４】
2010047986.tif 000016
【図１５】
2010047986.tif 000017
【図１６】
2010047986.tif 000018
【図１７】
2010047986.tif 000019